(57)【要約】【課題】  交換可能な電熱機構を具えて使用上の便利性を増した分離式電熱シーラーの提供。【解決手段】  電熱シール作業を行なう電熱機構と電源を提供する電源構造が分離され、即ち対応する着脱式組立構造により電熱機構を電源構造を具えた長いケースに組付けるか、或いは電熱機構を相互に対応する着脱式組合せ瀬構造により長いケースより取り外して交換できる。これにより、使用者は毀損した電熱機構或いは電源構造を交換でき、並びに同じ或いは異なる形式の電熱機構に付け換えて異なる場合の電熱シール要求に対応でき、これにより使用上の便利性が増されている。【選択図】        図１
2005014605.tif 000002
【特許請求の範囲】
【請求項１】
分離式電熱シーラーにおいて、
内部収容室、第１着脱式組合せ構造、第１枢設構造を具えたロングケースと、
ロングケースの内部収容室内に組付けられ、且つ電源端子を具えた電源構造と、
第２着脱式組合せ構造、及び電源接続端子を具え、該第２着脱式組合せ構造が該ロングケースの第１着脱式組合せ構造に対応し組付けられ、該電源接続端子が該電源構造の該電源端子に対応し電気的に接続される電熱機構と、
第２枢設構造を具え、且つ該第２枢設構造が該ロングケースの第１枢設構造に対応し枢設される上アーム体と、
を具えたことを特徴とする、分離式電熱シーラー。
【請求項２】
請求項１記載の分離式電熱シーラーにおいて、電源構造が少なくとも一つの導電手段と、少なくとも一つの電源手段を具え、該少なくとも一つの電源手段が電気的に該少なくとも一つの導電手段に接続され、且つ該少なくとも一つの導電手段がロングケースの外側に連通して電源端子を形成していることを特徴とする、分離式電熱シーラー。
【請求項３】
請求項１記載の分離式電熱シーラーにおいて、ロングケースの第１着脱式組合せ構造が係合フックとされ、電熱機構の第２着脱式組合せ構造が係合孔とされたことを特徴とする、分離式電熱シーラー。
【請求項４】
請求項１記載の分離式電熱シーラーにおいて、ロングケースがメインケースとカバーを具え、該カバーがメインケースの上を被覆してメインケースの内部収容室を閉じたことを特徴とする、分離式電熱シーラー。
【請求項５】
請求項２記載の分離式電熱シーラーにおいて、少なくとも一つの電源手段が電池とされたことを特徴とする、分離式電熱シーラー。
【請求項６】
分離式電熱シーラーにおいて、
内部収容室、第１着脱式組合せ構造、第１枢設構造を具えたロングケースと、
ロングケースの内部収容室内に組付けられ、且つ電源端子を具えた電源構造と、
第２着脱式組合せ構造、及び電源接続端子を具え、該第２着脱式組合せ構造が該ロングケースの第１着脱式組合せ構造に対応し組付けられ、該電源接続端子が該電源構造の該電源端子に対応し電気的に接続される電熱機構と、
を具えたことを特徴とする、分離式電熱シーラー。
【請求項７】
請求項６記載の分離式電熱シーラーにおいて、電源構造が少なくとも一つの導電手段と、少なくとも一つの電源手段を具え、該少なくとも一つの電源手段が電気的に該少なくとも一つの導電手段に接続され、且つ該少なくとも一つの導電手段がロングケースの外側に連通して電源端子を形成していることを特徴とする、分離式電熱シーラー。
【請求項８】
請求項６記載の分離式電熱シーラーにおいて、ロングケースの第１着脱式組合せ構造が錐形凸縁とされ、電熱機構の第２着脱式組合せ構造が錐形凹溝とされたことを特徴とする、分離式電熱シーラー。
【請求項９】
請求項６記載の分離式電熱シーラーにおいて、ロングケースがメインケースとカバーを具え、該カバーがメインケースの上を被覆してメインケースの内部収容室を閉じたことを特徴とする、分離式電熱シーラー。
【請求項１０】
請求項６記載の分離式電熱シーラーにおいて、少なくとも一つの電源手段が電池とされたことを特徴とする、分離式電熱シーラー。
【発明の詳細な説明】
【技術分野】
【０００１】
本発明は一種の電熱シーラーに係り、特に、毀損した電熱機構を取り外して交換でき、或いは同じ或いは異なる形式の電熱機構に交換できる、分離式電熱シーラーに関する。
【背景技術】
【０００２】
現在、一般の商店或いは市場では電熱シーラーが使用され、その目的はプラスチックバッグ等の工作物に対して電熱方式でシールを行ないプラスチックバッグ内の物品を保存することにある。
【０００３】
しかし、現在使用されている電熱シーラーのほとんどは一体成形形式とされ、即ち電源供給装置を収容するケースと電熱機構を収容するケースが一体に接続され、電源供給装置或いは電熱機構のいずれか一方に損壊状況が発生した場合に、全体の電熱シーラーが運転不能となり廃棄しなければならない。これは浪費を形成し、また、使用上の便利性を高めることができない。
【０００４】
このほか、現在、電熱シーラーの電熱機構には多種の形式があり、例えば電熱シール領域が比較的長いロングタイプ電熱機構、或いは電熱シール領域が比較的短いショートタイプ電熱機構があり、それぞれ異なる場合の電熱シールの要求に適用される。しかし、上述の一体成形の設計方式のため、使用者は異なる場合の使用要求に対応するために異なる種類の電熱シーラーを購入しなければならず、使用者に極めて大きな不便をもたらす。
【０００５】
また、電熱シーラー関係の周知の技術は多く有り、例えば、本件発明者による特許文献１−３がある。
【０００６】
【特許文献１】台湾特許公告第３７００７８号明細書
【特許文献２】台湾特許公告第３７００７７号明細書
【特許文献３】台湾特許公告第３５６８１１号明細書
【発明の開示】
【発明が解決しようとする課題】
【０００７】
本発明の主要な目的は、一種の分離式電熱シーラーを提供することにあり、それは、毀損した電熱機構或いは電源構造を取り外して交換でき、並びに同じ或いは異なる形式の電熱機構に交換することで異なる場合の電熱シール要求に対応でき、使用上の便利性が高められた電熱シーラーであるものとする。
【０００８】
以上の目的を達成するため、本発明の分離式電熱シーラーは、ロングケース、電源構造、電熱機構、上アーム体を具え、該ロングケースは内部収容室、第１着脱式組合せ構造、第１枢設構造を具え、電源構造は前述のロングケースの内部収容室内に組付けられ、且つ電源構造はロングケースの外側に連通する電源端子を具えている。
【０００９】
このほか、電熱機構は第２着脱式組合せ構造、及び電源接続端子を具え、そのうち第２着脱式組合せ構造は上述のロングケースの第１着脱式組合せ構造に対応し組付けられ、且つ電源接続端子は電気的に上述の電源構造の電源端子に接続される。上アーム体は第２枢設構造を具え、且つこの第２枢設構造は上述のロングケースの第１枢設構造に対応し枢設され、上アーム体が第１枢設構造と第２枢設構造によりロングケースにあって回転可能とされる。
【００１０】
本発明の特色は、電熱シールに用いられる電熱機構と電源を提供する電源構造が分離式設計とされ、即ち電熱機構が第１着脱式組合せ構造と第２着脱式組合せ構造により電源構造を収容するロングケースに組付けられるか、或いは電熱機構がロングケースより取り外されて交換可能とされる。これにより、使用者は本発明により毀損した電熱機構或いは電源構造の交換が行なえ、並びに同じ或いは異なる形式の電熱機構に交換することで異なる場合の電熱シールの要求に対応でき、これにより使用上の便利性が高められる。
【００１１】
上述のロングケースの第１着脱式組合せ構造には係合フックを使用可能で、且つ電熱機構の第２着脱式組合せ構造には係合フックに対応し相互に係合する係合孔を使用することができる。当然相互に反対に配置することも可能である。このほか、上述の電源構造は更に少なくとも一つの導電手段、及び少なくとも一つの電源手段を具え、該電源手段は電気的に導電手段に接続され、且つ導電手段は上述のロングケースの外側に連通して電熱機構の電源接続端子に対応し電気的に接続可能な電源端子が形成され、電源手段には電池を使用可能である。
【００１２】
このほか、本発明の分離式電熱シーラーは別の形式も可能であり、それは、ロングケース、電源構造、及び電熱機構を具えている。そのうち、ロングケースは内部収容室と、第１着脱式組合せ構造を具え、電源構造はロングケースの内部収容室に組付けられ、且つこの電源構造は電源端子を具えている。このほか、電熱機構は第２着脱式組合せ構造と、電源接続端子を具え、そのうち、第２着脱式組合せ構造は上述のロングケースの第１着脱式組合せ構造に対応し組付けられ、電源接続端子は電源構造の電源端子に対応し電気的に接続される。
【００１３】
上述の第１着脱式組合せ構造は錐形凸縁とされ得て、且つ電熱機構の第２着脱式組合せ構造は錐形凹溝とされうる。錐形凸縁は錐形凹溝内に対応し嵌入し、これにより着脱式組合せ構造を形成し、当然反対の配置も可能である。このほか、上述の電源構造は更に少なくとも一つの導電手段、及び少なくとも一つの電源手段を具え、該電源手段は導電手段に電気的に接続され、且つ導電手段は上述のロングケースの外側に連通し電熱機構の電源接続端子に対応し接続される電源端子が形成されている。この部分の電源手段は電池を使用可能である。このほか、上述のロングケースはメインケース及びカバーを具え、該カバーはメインケース上を被覆しその内部収容室を閉じる。
【００１４】
これにより、上述の形式の構造もまた毀損した電熱機構或いは電源構造を交換でき、並びに同じ或いは異なる形式の電熱機構に交換することで異なる場合の電熱シールの要求に対応できる。これにより使用上の便利性が増される。このほか、第１着脱式組合せ構造と第２着脱式組合せ構造は上述の相互に係合する係合フックと係合孔、錐形凹溝と錐形凸縁に限定されるものではなく、その他の同じ効果を達成できる交換式組合せ構造であれば使用可能である。
【課題を解決するための手段】
【００１５】
請求項１の発明は、分離式電熱シーラーにおいて、
内部収容室、第１着脱式組合せ構造、第１枢設構造を具えたロングケースと、
ロングケースの内部収容室内に組付けられ、且つ電源端子を具えた電源構造と、
第２着脱式組合せ構造、及び電源接続端子を具え、該第２着脱式組合せ構造が該ロングケースの第１着脱式組合せ構造に対応し組付けられ、該電源接続端子が該電源構造の該電源端子に対応し電気的に接続される電熱機構と、
第２枢設構造を具え、且つ該第２枢設構造が該ロングケースの第１枢設構造に対応し枢設される上アーム体と、
を具えたことを特徴とする、分離式電熱シーラーとしている。
請求項２の発明は、請求項１記載の分離式電熱シーラーにおいて、電源構造が少なくとも一つの導電手段と、少なくとも一つの電源手段を具え、該少なくとも一つの電源手段が電気的に該少なくとも一つの導電手段に接続され、且つ該少なくとも一つの導電手段がロングケースの外側に連通して電源端子を形成していることを特徴とする、分離式電熱シーラーとしている。
請求項３の発明は、請求項１記載の分離式電熱シーラーにおいて、ロングケースの第１着脱式組合せ構造が係合フックとされ、電熱機構の第２着脱式組合せ構造が係合孔とされたことを特徴とする、分離式電熱シーラーとしている。
請求項４の発明は、請求項１記載の分離式電熱シーラーにおいて、ロングケースがメインケースとカバーを具え、該カバーがメインケースの上を被覆してメインケースの内部収容室を閉じたことを特徴とする、分離式電熱シーラーとしている。
請求項５の発明は、請求項２記載の分離式電熱シーラーにおいて、少なくとも一つの電源手段が電池とされたことを特徴とする、分離式電熱シーラーとしている。
請求項６の発明は、分離式電熱シーラーにおいて、
内部収容室、第１着脱式組合せ構造、第１枢設構造を具えたロングケースと、
ロングケースの内部収容室内に組付けられ、且つ電源端子を具えた電源構造と、
第２着脱式組合せ構造、及び電源接続端子を具え、該第２着脱式組合せ構造が該ロングケースの第１着脱式組合せ構造に対応し組付けられ、該電源接続端子が該電源構造の該電源端子に対応し電気的に接続される電熱機構と、
を具えたことを特徴とする、分離式電熱シーラーとしている。
請求項７の発明は、請求項６記載の分離式電熱シーラーにおいて、電源構造が少なくとも一つの導電手段と、少なくとも一つの電源手段を具え、該少なくとも一つの電源手段が電気的に該少なくとも一つの導電手段に接続され、且つ該少なくとも一つの導電手段がロングケースの外側に連通して電源端子を形成していることを特徴とする、分離式電熱シーラーとしている。
請求項８の発明は、請求項６記載の分離式電熱シーラーにおいて、ロングケースの第１着脱式組合せ構造が錐形凸縁とされ、電熱機構の第２着脱式組合せ構造が錐形凹溝とされたことを特徴とする、分離式電熱シーラーとしている。
請求項９の発明は、請求項６記載の分離式電熱シーラーにおいて、ロングケースがメインケースとカバーを具え、該カバーがメインケースの上を被覆してメインケースの内部収容室を閉じたことを特徴とする、分離式電熱シーラーとしている。
請求項１０の発明は、請求項６記載の分離式電熱シーラーにおいて、少なくとも一つの電源手段が電池とされたことを特徴とする、分離式電熱シーラーとしている。
【発明の効果】
【００１６】
本発明によると、電熱シールに用いられる電熱機構と電源を提供する電源構造が分離式設計とされ、即ち電熱機構が第１着脱式組合せ構造と第２着脱式組合せ構造により電源構造を収容するロングケースに組付けられるか、或いは電熱機構がロングケースより取り外されて交換可能とされる。これにより、使用者は本発明により毀損した電熱機構或いは電源構造の交換が行なえ、並びに同じ或いは異なる形式の電熱機構に交換することで異なる場合の電熱シールの要求に対応でき、これにより使用上の便利性が高められる。
【発明を実施するための最良の形態】
【００１７】
図１は本発明の第１実施例の立体分解図、図２は本発明の第１実施例の立体組合せ図である。これらの図に示されるように、本発明の分離式電熱シーラー１は、ロングケース２、電源構造４、電熱機構５、及び上アーム体６を具えている。そのうち、ロングケース２はメインケース２０１とカバー２０２が組み合わされてなる。且つメインケース２０１の内部に内部収容室２１が形成され、メインケース２０１の前端近くの二側にそれぞれ第１着脱式組合せ構造２２が形成され、メインケース２０１の後端に第１枢設構造２３が形成されている。カバー２０２はメインケース２０１上を被覆してメインケース２０１の内部収容室２１を閉じる。本実施例では、第１着脱式組合せ構造２２は係合フック、第１枢設構造２３は軸孔とされている。
【００１８】
このほか、電源構造４は上述のロングケース２のメインケース２０１に形成された内部収容室２１に組付けられ、且つ電源構造４は二つの導電手段３１、３２と二つの電源手段３３、３４を具え、そのうち、二つの電源手段３３、３４はそれぞれが対応する導電手段３１、３２に電気的に接続され、二つの導電手段３１、３２はロングケース２のメインケース２０１の前端近くの外側に連通し、並びにプラス極とマイナス極の電源端子４１が形成されている。当然、別端には導電片（図示せず）が使用されて二つの電源手段３３、３４に電流回路を形成させている。本実施例では、二つの導電手段３１、３２はそれぞれ導電片とされ、二つの電源手段３３、３４はそれぞれ電池とされている。
【００１９】
このほか、電熱機構５はメインケース２０１の第１着脱式組合せ構造２２（係合フック）に対応する二側に形成された第２着脱式組合せ構造５１を具え、本実施例では、該第２着脱式組合せ構造５１は係合孔とされ、それは第１着脱式組合せ構造２２の係合フックに対応して係合可能である。並びに電熱機構５は上述のロングケース２のメインケース２０１に組付けられ、電熱機構５にプラス極とマイナス極の電源接続端子５２が形成されている。これにより、電熱機構５がロングケース２のメインケース２０１に組付けられる時、電源接続端子５２はそれぞれ電源構造４の電源端子４１に対応して電気的に接続され、これにより電源構造４が電熱機構５の電熱エリア５３に必要な電源を提供する。
【００２０】
図中には別に上アーム体６が示され、それは、第２枢設構造６１を具えている。本実施例では、第２枢設構造６１は枢軸とされ、それは上述のロングケース２の第１枢設構造２３の軸孔に枢設され、これにより図２に示されるような完全な分離式電熱シーラー１が形成される。これにより、電熱シール作業を行なう時は、使用者はまず上アーム体６を押圧し、それをロングケース２に対して回転させ、上アーム体６は回転時にスイッチ２４に接触してそれをオンし、このスイッチ２４は電流流通のオンとオフを制御する。ゆえに上アーム体６が回転し並びにこのスイッチ２４を駆動する時、電源構造４は電熱機構５の電熱エリア５３の必要とする電源の供給を開始し、これにより電熱シール作業を行なえる。注意すべきことは、前述の上アーム体６とロングケース２の間は回転軸と軸孔により枢設され、ゆえに上アーム体６は簡単にロングケース２より取り外すことができ、即ち上アーム体６も異なる形式のものに交換できる、ということである。
【００２１】
以上から分かるように、電熱シール作業に用いられる電熱機構５と電源を提供する電源構造４は分離式設計とされ、即ち電熱機構５或いは電熱機構４の一方が損壊して使用不能となった時、第１着脱式組合せ構造２２（係合フック）と第２着脱式組合せ構造５１（係合孔）の着脱式組合せ構造により上述の損壊した部品を交換でき、全体のシーラーを廃棄する必要はなく、使用者にとっては、極めて大きな使用の便利性を有することとなる。
【００２２】
このほか、図２に示される分離式電熱シーラー１のロングケース２の後端には更に電源ソケット２５が設けられ、それは交流電源を外接するのに用いられ、即ち電熱機構５の必要とする電源は電池３３、３４の直流電源のほか、交流電源を利用しても電源供給の目的を達成できる。
【００２３】
図３は本発明の第２実施例の立体組合せ図を示し、その主要な構造は上述の第１実施例とほぼ同じであるが、その違いは第１実施例の電熱機構５は比較的長い範囲の電熱エリア５３（図１参照）を具えて、比較的大きな範囲の電熱シール作業に供されるが、図３に示される分離式電熱シーラー７の電熱機構７２はそれより短い範囲の電熱エリア７２２を具え、それは比較的短い範囲の電熱シール作業に適用される。本実施例の電熱機構７２もまた係合孔７２１とロングケース７１の係合フック７１１の係合を利用して組み合わされ、そのうち、ある部分に損壊が発生して使用不能となった時は、使用者は着脱式組合せ構造の設計により交換することができ、即ち本実施例も第１実施例と同じ各種の機能を達成できる。
【００２４】
図１、２、３を共に参照されたい。それに表示されるロングケース２、７１は異なる形状を有するが、着脱式組合せ構造の設計により異なる電熱機構５、７２を組み合わせることができ、即ち図１のロングケース２に図３の電熱機構７２を組み合わせて使用することができ、即ち、使用者は異なる場合の電熱シール作業の要求に応じて異なる形式の電熱機構５、７２に交換でき、同時に各種の異なる形式のシーラーを購入する必要はなく、これにより浪費を減らし使用上の便利性を高めることができる。
【００２５】
図４は本発明の第３実施例の立体組合せ図である。その主要な構造は第１実施例とほぼ同じであるが、違いは、本実施例は上アーム体を具備しない分離式電熱シーラーとされ、且つそのロングケース８１の第１着脱式組合せ構造は錐形凸縁８１１とされ、電熱機構８２の第２着脱式組合せ構造は錐形凹溝８２１とされこの錐形凸縁８２１が錐形凹溝８１１内に対応し嵌入することで着脱式組合せ構造が形成され、これにより上述の実施例に記載の各種の機能を達成できることにある。このほか、本実施例の電熱機構８２の電熱エリア８２２は直接電熱シールしたい工作物に押しつけ可能で、これにより上アーム体を使用する必要がない。
【００２６】
図５は本発明の第４実施例の立体組合せ図である。その主要な構造は上述の第３実施例とほぼ同じであるが、違いは、本実施例のロングケース９１の第１着脱式組合せ構造は環形孔９１１とされ、電熱機構９２の第２着脱式組合せ構造は回転係合凸縁９２１とされ、この回転係合凸縁９２１が環形孔９１１内に挿入され且つ回転係合凸縁９２１がある角度回転させられることで環形孔９１１内に係合可能で、これにより着脱式組合せ構造を形成する。本実施例の構造もまた使用上の便利性を高める目的を達成する。
【００２７】
図６は本発明の第５実施例の立体組合せ図である。その主要な構造は上述の第２実施例とほぼ同じであるが、違いは、本実施例のロングケース９３の第１着脱式組合せ構造は収容溝９３１とされ、電熱機構９４の第２着脱式組合せ構造は収容座体９４１とされ、この収容座体９４１が収容溝９３１内に挿入されて着脱式組合せ構造を形成する。本実施例の構造もまた上述の各実施例に記載の効果を達成できる。
【００２８】
以上の実施例は本発明の実施範囲を限定するものではなく、本発明に基づきなし得る細部の修飾或いは改変は、いずれも本発明の請求範囲に属する。
【図面の簡単な説明】
【００２９】
【図１】本発明の第１実施例の立体分解図である。
【図２】本発明の第１実施例の立体組合せ図である。
【図３】本発明の第２実施例の立体組合せ図である。
【図４】本発明の第３実施例の立体組合せ図である。
【図５】本発明の第４実施例の立体組合せ図である。
【図６】本発明の第５実施例の立体組合せ図である。
【符号の説明】
【００３０】
１  分離式電熱シーラー                ２  ロングケース
２０１  メインケース                  ２０２  カバー
２１  内部収容室                      ２２  第１着脱式組合せ構造
２３  第１枢設構造                    ２４  スイッチ
２５  電源ソケット                    ３１  導電手段
３２  導電手段                        ３３  電源手段
３４  電源手段                        ４  電源構造
４１  電源端                          ５  電熱機構
５１  第２着脱式組合せ構造            ５２  電源接続端子
６  上アーム体                        ６１  第２枢設構造
７  分離式電熱シーラー
７１１  係合フック                    ７２  電熱機構
７２１  係合孔                        ７２２  電熱領域
８１  ロングケース                    ８１１  錐形凸縁
８２  電熱機構                        ８２１  錐形凹溝
８２２  電熱エリア                    ９１  ロングケース
９１１  環形孔                        ９２  電熱機構
９２１  回転係合凸縁                  ９３  ロングケース
９３１  収容溝                        ９４  電熱機構
９４１  収容座体
【図１】
2005014605.tif 000003
【図２】
2005014605.tif 000004
【図３】
2005014605.tif 000005
【図４】
2005014605.tif 000006
【図５】
2005014605.tif 000007
【図６】
2005014605.tif 000008